(57)【要約】【課題】  メガネを掛けた際にフロント部両側に折畳み出来るように取付けたツルが顔の側面に接することがないようにしたメガネフレームのツルの提供。【解決手段】  ツル２は蝶番４と連結したツル線５とモダン６から成り、該モダン６の挿入穴に圧入した継手部材７の基部を湾曲して上記ツル線５と連結し、メガネを掛けた際に顔の側面との間に隙間を形成している。【選択図】    図１
2017211439.tif 000002
【特許請求の範囲】
【請求項１】
メガネフレームのフロント部両側に継手を介して折畳み出来るように取付けたツルにおいて、該ツルは上記継手と連結したツル線とモダンから成り、該モダンの挿入穴に圧入した芯金の基部を上記ツル線と連結し、そして、ツル線がメガネを掛けた際に顔の側面に接することがないように上記基部を湾曲又は屈曲したことを特徴とするメガネフレームのツル。
【請求項２】
上記芯金を弾性変形に優れた材質で構成した請求項１記載のメガネフレームのツル。
【請求項３】
上記芯金の材質をβ−チタンとした請求項２記載のメガネフレームのツル。
【請求項４】
上記基部をモダンの挿入穴に圧入される圧入部とは別部材で構成し、基部のみをβ−チタンなどの弾性変形に優れた材質とした請求項１記載のメガネフレームのツル。
【発明の詳細な説明】
【技術分野】
【０００１】
本発明はメガネフレームを顔に掛けた際に側面に食い込まないようにしたツル（テンプル）に関するものである。
【背景技術】
【０００２】
図７は従来の一般的なメガネフレームを示している実施例であり、該メガネフレームはフロント部（イ）と２本のツル（ロ）、（ロ）を有している。該フロント部（イ）はリム（ハ）、（ハ）が連結部材（ニ）にて左右対称に連結され、両側には概略Ｌ形をしたヨロイ（ホ）、（ホ）がロウ付けされた形態としている。
また、連結部材（ニ）の下側には鼻当てパット（ヘ）、（ヘ）がリム（ハ）、（ハ）に取付けられている。そして、上記ヨロイ（ホ）、（ホ）には蝶番（ト）、（ト）を介してツル（ロ）、（ロ）が折り畳み出来るように取付けられている。
【０００３】
ところで、該メガネフレームは顔に掛けられるが、この際、フロント部（イ）の中央部に取付けている鼻当てパット（ヘ）、（ヘ）を鼻の両脇に載せてフロント部（イ）は顔の正面にて支持され、２本のツル（ロ）、（ロ）は顔の側面に沿って延びると共に、その先端に取付けている樹脂製のモダン（図示なし）を耳に係止することが出来る。すなわち、対を成す２個の鼻当てパット（ヘ）、（ヘ）と２本のツル（ロ）、（ロ）にてメガネフレームは顔に安定して掛けられる。
【０００４】
上記モダンは樹脂製で構成され、しかもツル線に比べて太くて滑らかな当り面を形成している為に、頭部側面には痛みを伴うことなく接することが出来る。ただし、ツル線は細く、その為に該ツル線が顔側面に接するならば、肌に食い込んで痛みを覚えることが多い。特に、近年のメガネフレームはそのデザインが重視されることでツル線は細い。
【０００５】
図８はメガネを掛けた状態を頭部上方から見た場合を示している。同図に示すように、フロント部（イ）から真直ぐに延びるツル（ロ）、（ロ）のツル線（チ）、（チ）が顔の側面に接するように成る。
ツルに痛みが生じないように構成したメガネフレームも知られている。例えば、
特開２００５−３１４１６号に係る「メガネフレームのツル」は、ツルを短くして耳の窪みに係合してメガネを掛けることが出来、しかも如何なる形状の耳であっても痛みを感じることなく係合して掛け易いメガネフレームツルである。
そこで、ツルの先端には耳の外輪又は外輪内側にある窪みに係合するパットを備え、該ツルは長さ調整機構を備え、又ツル先端に屈曲又は湾曲して撓み変形に優れた弾性材で構成したアームを設け、そしてアーム先端に上記パットを取付けている。
【０００６】
実開平８−２４５号に係る「メガネフレームのツル」は、メガネを長時間着用しても痛みを感じたり、疲れたりすることなく、またメガネを着用したり外したりする際に、フロントフレームが変形してレンズが離脱することのないようにしたツルである。
そこで、ツルはフロントフレーム側に弾性に富んだ樹脂片を設けたもので、金属製芯の端部を抜けたり回転したりしないように上記樹脂片に埋着して構成している。
【特許文献１】特開２００５−３１４１６号に係る「メガネフレームのツル」
【特許文献２】実開平８−２４５号に係る「メガネフレームのツル」
【発明の開示】
【発明が解決しようとする課題】
【０００７】
このように、メガネを掛けた際にツルが顔や頭部に接して痛み感じないようにしたメガネフレームは色々と知られている。しかし、顔に掛けて使用するメガネフレームの場合、その外観・デザインが損なわれる構造では問題がある。本発明は、デザインが損なわれないように構成し、長時間メガネを着用してもツルによって痛みを生じることのないメガネフレームのツルを提供する。
【課題を解決するための手段】
【０００８】
本発明に係るツルはメガネのフロント部両側に蝶番等の継手を介して折畳み出来るように取付けられ、その先端部には樹脂製のモダンを挿着している。そこで、ツルはフロント部側の継手から延びるツル線及びその先端部にモダンを有しているが、該ツル線にモダンを直接挿着することなく、ツル線はモダンに圧入した芯金の基部と連結している。基部は芯金を一直線上になくて湾曲又は屈曲していて、その為にツル線の先端側はモダンより外方向に配置される。ここで、基部の具体的な湾曲形状又は屈曲形状は問わないことにする。
【０００９】
芯金はモダンに設けた挿入穴に圧入されるが、該芯金は一般に弾性変形に優れた材質が用いられる。例えば、β−チタンを用いることが出来る。
ここで、上記芯金をモダンの挿入穴に圧入するが、モダンから突出する基部を別部材として構成する場合もあり、この場合、基部のみを弾性変形に優れた材質とし、モダンに圧入する部位は剛性の高い材質とすることが出来る。
【発明の効果】
【００１０】
本発明に係るメガネフレームのツルは、そのツル線先端部がモダンに圧入することなく、芯金の基部を介してモダンと連結している。そして、湾曲した基部によってツル線の先端部はモダンの当接面より外側に配置され、ツル線が顔の側面又は頭部側面に当接することはなく、メガネを着用してもツル線によって痛みを感じることはない。
【００１１】
ツル線とモダンの間には弾性変形に優れた芯金の基部が介在していることで、モダンの向きは基部が変形することで自由に変化することが出来る。その為に、モダンは頭部の側面形状になじむことが出来、モダンによる当接圧も和らいで痛みを生じることはなく、長時間にわたってメガネを楽に掛けることが出来る。
【図面の簡単な説明】
【００１２】
【図１】本発明のツルを備えたメガネフレームを顔に掛けた状態。
【図２】メガネフレームのツルを示す具体例。
【図３】メガネフレームのツルを示す他の具体例。
【図４】メガネフレームのツルを示す別の具体例。
【図５】メガネフレームのツルを示す更なる別の具体例。
【図６】メガネフレームのツルを示す更なる別の具体例。
【図７】従来の一般的なメガネフレーム。
【図８】従来のメガネフレームを顔に掛けた状態。
【発明を実施するための形態】
【００１３】
図１は本発明に係るツルを備えたメガネフレームを顔に掛けた場合で、上方から見た状態を示している。すなわち、頭部とメガネフレームを構成するツルの位置関係を表している。同図の１はフロント部、２，２はツル、３は頭部をそれぞれ表し、フロント部１の両側にはツル２，２が蝶番４，４を介して折畳み出来るように取付けられている。メガネフレームとしての基本的な形態は従来と共通している。
【００１４】
ところで、上記ツル２はツル線５と樹脂製のモダン６、及び芯金７から成り、該芯金７はモダン６の挿入穴に圧入され、モダン６から突出した基部８は湾曲して上記ツル線５の先端部にロウ付けされて連結している。
モダン６から突出した基部８は屈曲していて、その為にツル線５の先端部はモダン６の軸線から外方向へはみ出している。したがって、ツル線５と顔の側面及び頭部側面との間には隙間２２を生じ、該ツル線５が顔側面及び頭部側面に接することはない。
【００１５】
ここで、上記芯金７はモダン６に設けた挿入穴に圧入されているが、一般的には弾性変形に優れた材質が用いられている。したがって、芯金７のモダン６から突出した基部８は変形しやすく、メガネを掛けた際にモダン６の当接面（内側面）に作用する圧力によって該モダン６は撓み変形してその向きを自由に変えることが出来る。
例えば、芯金７の具体的な材質として、β−チタンを用いることが可能である。ここで、芯金７をモダン６の挿入穴に圧入する部分と、モダン６から突出してツル線５と連結する為だけの基部８を別材料で構成して互いに連結する場合も可能である。
【００１６】
図２はツル２を示す具体例であり、同図に示すツル線５は長手方向に細長いスリット穴１０を設けている。該スリット穴１０を設けることでツル線５の重量は軽く成ると共に撓み変形し易く成る。また、メガネフレームのツル２の外観を向上する為に上記スリット穴１０を一つのデザインとして形成している。
モダン６の挿入穴に圧入した芯金７は該モダン６から突出してカギ形をした基部８を設け、該基部８がスリット穴１０を挿通してその先端がツル線５の先端にロウ付けされて連結している。
そこで、モダン６が頭部側面に当たる当接面９とツル線５との間には距離Ａが設けられ、その為にツル線５が顔の側面に接することはない。
【００１７】
図３はツル２の別形態を示しており、ツル線５には楕円穴１１を貫通して設けている。そして、モダン６に設けた挿入穴に圧入された芯金７の基部１２は湾曲しており、該基部１２がツル線５の先端部にロウ付けされて連結している。そして、該モダン６はその基部側表面が切欠かれて段差を形成し、内側片２３はツル線側に延びて芯金７の基部１２の内側を被覆している。モダンから突出している基部１２は内側片２３とツル線５の先端部とに挟まれて基部１２は見え難く成っている。
したがって、ツル線５の先端部側はモダン６とは外側に配置され、メガネを掛けた場合には、モダン６の当接面１３とツル線５との間に隙間が形成されて該ツル線５が顔側面に接することはない。
【００１８】
図４はツル線５を示す更なる別の実施例である。該ツル線５には仕切り１４，１４を設けて穴１５ａ，１５ｂ，１５ｃを３か所に設けている。そして、ツル線５の先端には円形の穴１６を形成し、モダン６から突出して延びる基部１７は湾曲して該穴１６を挿通し、基部端がツル線５の先端にロウ付けされて連結している。したがって、ツル線５の先端側はモダン６より外側に配置され、メガネを掛けた場合にモダン６の当接面１８とツル線５との間には隙間２２が形成され、該ツル線５が顔側面に接することはない。
【００１９】
図５はツル２を示す別の形態であり、ツル２はツル線５とモダンから成り、ツル線５とモダン６は芯金７の基部１９にて連結している。該モダン６の挿入穴に圧入された芯金７の基部１９はカギ形をしてツル線５の先端にロウ付けされて連結している。基部１９の形態は前記図３に示した実施例と似通っているが、ツル線５の先端部は屈曲して段差が形成されていることで、基部１９に連結するツル線５はモダン６の当接面からの距離を大きくしている。
【００２０】
図６はツル２の更なる別形態を示す実施例である。該ツル線５はその太さ（幅寸法）が長手方向に沿って変化し、先端部には楕円穴２０が設けられている。そして、モダン６に圧入された芯金７の基部２１はＵ形に湾曲して楕円穴２０を挿通し、その先端がツル線先端にロウ付けされて連結している。
ところで、ツル２の形態を色々説明したが、ツル線５の形態、モダンの形態、及び芯金の基部形態は他にも色々あり、上記実施例に限定しない。
【符号の説明】
【００２１】
１   フロント部
２   ツル
３   頭部
４   蝶番
５   ツル線
６   モダン
７   継手部材
８   基部
９   当接面
10   スリット穴
11   楕円穴
12   基部
13   当接面
14   仕切り
15   穴
16   穴
17   基部
18   当接面
19   基部
20   楕円穴
21   基部
22   隙間
23   内側片
【図１】
2017211439.tif 000003
【図２】
2017211439.tif 000004
【図３】
2017211439.tif 000005
【図４】
2017211439.tif 000006
【図５】
2017211439.tif 000007
【図６】
2017211439.tif 000008
【図７】
2017211439.tif 000009
【図８】
2017211439.tif 000010